(57)【特許請求の範囲】
【請求項１】
上下両端面開口の筒胴体１と、
上記筒胴体の内壁面に接して摺動可能な外周面を有して、筒胴体の下部内面へ嵌合された底皿11と、
上記筒胴体の上部外面へ周壁23下半を嵌合させたキャップ状部材21と、
該キャップ状部材に付設したカッター31とからなり、
上記キャップ状部材21は、頂壁22と、該頂壁外周から垂下する周壁23の上半との、各左右方向一半部を切欠き除去して窓部24を形成すると共に、該窓部の周壁上半除去部分の一端近辺の側外方に位置させて、軸受け筒25をほぼ垂直に付設し、
又カッター31は、上記軸受け筒内へ嵌合させた軸32から、上記筒胴体の内径とほぼ同外径の平板状部33を突設して、上記軸を中心とする回動で上記窓部24の下縁24a および該下縁内方の筒胴体上端面1aに沿ってキャップ状部材21内へ平板状部がほぼ水平に出入自在に形成し、
かつ平板状部33がキャップ状部内に位置する状態で、該平板状部上面と頂壁22下面との間に適当高さの間隙が形成可能とした
ことを特徴とする棒状のゲル状物収納容器。
【請求項２】
平板状部33をキャップ状部材内に位置させた状態で、窓部24に露出する平板状部33の外縁部分から、カッター回動用の把手突部26を外方へ突出した
ことを特徴とする請求項１記載の棒状のゲル状物収納容器。
【請求項３】
平板状部の上下両面をブラスト加工した
ことを特徴とする請求項１又は２記載の棒状のゲル状物収納容器。
【発明の詳細な説明】
【０００１】
【発明の属する技術分野】
本発明は、棒状のゲル状物収納容器に関する。
【０００２】
【従来の技術】
例えば顔面使用のパック剤として、薬液を含浸させた紙又は布を、一枚宛気密に包装して容器体内に収納したもの、又均等厚みに切断した多数チーズ片を一枚宛紙袋で包装し、或いは包装しないまま多数紙箱内に収納させたものが知られている。
【０００３】
【発明が解決しようとする課題】
上記のように薬液含浸紙等を一枚宛気密包装等することは面倒であり、手数がかかるためコスト高となることを避けられない。そのように予め薄片としておく理由は、消費者の使用の便宜のためであるが、そのように薄片化しておくことで薬液ないし水分が気化して乾燥し易くなり、従ってその気化防止のための気密包装が必要な場合を生じ、更にコストを押し上げることとなる。
【０００４】
本発明は上記のようなゲル状物の気化防止等のために棒状物のまま容器内に収納し、又該棒状収納物を使用の都度、使用に適する薄片化することが容易なカット機構を容器上部に嵌合させたキャップ状部に付設したものである。
【０００５】
【課題を解決するための手段】
第１の手段として上下両端面開口の筒胴体１と、
上記筒胴体の内壁面に接して摺動可能な外周面を有して、筒胴体の下部内面へ嵌合された底皿11と、
上記筒胴体の上部外面へ周壁23下半を嵌合させたキャップ状部材21と、
該キャップ状部材に付設したカッター31とからなり、
上記キャップ状部材21は、頂壁22と、該頂壁外周から垂下する周壁23の上半との、各左右方向一半部を切欠き除去して窓部24を形成すると共に、該窓部の周壁上半除去部分の一端近辺の側外方に位置させて、軸受け筒25をほぼ垂直に付設し、
又カッター31は、上記軸受け筒内へ嵌合させた軸32から、上記筒胴体の内径とほぼ同外径の平板状部33を突設して、上記軸を中心とする回動で上記窓部24の下縁24a および該下縁内方の筒胴体上端面1aに沿ってキャップ状部材21内へ平板状部がほぼ水平に出入自在に形成し、
かつ平板状部33がキャップ状部内に位置する状態で、該平板状部上面と頂壁22下面との間に適当高さの間隙が形成可能とした。
【０００６】
第２の手段として、上記第１の手段を有すると共に平板状部33をキャップ状部材内に位置させた状態で、窓部24に露出する平板状部33の外縁部分から、カッター回動用の把手突部26を外方へ突出した。
【０００７】
第３の手段として、上記第１又は第２の手段を有すると共に平板状部の上下両面をブラスト加工した。
【０００８】
【発明の実施の形態】
本発明容器は、筒胴体と底皿とキャップ状部材とカッターとからなる。
筒胴体１は、上下両端面開口の筒体で、上下同一内径であり、下端からは図示のように下外径へ拡開する脚筒２を垂下させてもよく、又その下端には後述底皿の下方抜出し防止用の内向きフランジを付設してもよい。又その筒胴体１の上部外面には後述キャップ状部材の周壁下端面を係止させるための突条３を周設している。
【０００９】
上記筒胴体１の下部内へは底皿11を嵌合させている。該底皿は底板12外周から外周壁13を垂下させたもので、その外周壁外面は筒胴体１の内壁面へ、好ましくは気密に接して、ないしは水密に接して摺動可能に設けている。
キャップ状部材21は、頂壁22と該頂壁外周から垂下する周壁23の上半部との各左右方向一半部を切欠き除去して窓部24を形成し、又該窓部の周壁上半除去部分の一端近辺に、該部分の側外方に位置させて、軸受け筒25をほぼ垂直に付設したものである。
【００１０】
周壁23の下半23a は筒胴体１の上部外面へ嵌合させる。よって上記窓部下縁を形成する周壁下半部分上面、つまり上半を有しない周壁下半部分の上面と、その窓部内に位置する筒胴体１の上端面とはほぼ面一に、同一平面上に位置することとなる。又上記軸受け筒25は、上半を有しない周壁下半部分の一端部側方に、付設するとよい。
【００１１】
カッター31は、上記軸受け筒25内へ回動可能に嵌合させた軸32から、上記筒胴体１の内径とほぼ同外径とした平板状部33をほぼ水平に突設して軸32を中心として回動可能としたもので、該回動により平板状部33は窓部24の下縁24a および該下縁内方の筒胴体の上端面1aに沿ってキャップ状部材21内へ水平に出入自在に形成している。
【００１２】
その平板状部33の外周縁は筒胴体１内へ嵌合させた棒状のゲル状物41を切断可能な刃33a に形成し、又平板状部の上下両面はその切断の際にゲル状物が密着することを防止するため、ブラスト加工するとよい。更に平板状部33をキャップ状部材21内へ位置させた状態で、窓部24に露出する平板状部33の外縁一部からは、カッター回動用の把手突部26を外方へ突出させるとよい。上記のようにキャップ状部21内に平板状部33が位置する状態で、その平板状部上面と頂壁22下面との間には図２が示すように適当高さの間隙が形成可能としておく。
上述の各構成部材はそれぞれ合成樹脂材で一体成形しているが、カッター31は金属製としてもよい。
【００１３】
上記構成において、図１のように筒胴体１内へ棒状のゲル状物41を嵌合させておき、次いでカッター31を回動させて平板状部33を容器外方へ位置させ、更に底皿11を介して棒状ゲル状物41をその上面が頂壁22下面へ接するまで押上げした後、カッター31を回動させて平板状部33をキャップ状部材21内へ押込む。該押込みの際、カッターの刃33a は棒状ゲル状物41の上部を薄片状に切断する。切断後に上記把手突部26によりカッター31を外方へ回動させれば、切断により形成された薄片42を平板状部33上に載置させたままで外方へ引出すことが出来る。上記操作の反復により所望数の薄片42を得た後、カッターを回し、平板状部33をキャップ状部材21内へ戻せばよい。
【００１４】
【発明の効果】
本発明は既述構成としたから、ゲル状物41は棒状のままで筒胴体１内へ嵌合させておき、必要に応じてキャップ状部材21に取付けたカッター操作で薄片状に切断すればよく、よって従来のようにゲル状物全体を予め薄片状に切断しておかなくてよく、又それ等薄片を包装等する必要がなく、ゲル状物は棒状のままで筒胴体１内へ収納させるから、該ゲル状物の気化、乾燥等を防止できる。
【００１５】
又キャップ状部材21には、窓部24の周壁上半除去部分の一端外方に軸受け筒25を付設し、その軸受け筒内に軸32を嵌合させて該軸に平板状部33を付設してカッター31となし、その軸を中心とする回動で平板状部33が窓部の下縁24a および筒胴体１の上端面1aに沿ってキャップ状部材21内へ入るよう設けたから、又該キャップ状部材内へ入った状態で平板状部33上面と頂壁22下面との間に適当高さの間隙が形成可能としたから、筒胴体１内の棒状ゲル状物41を頂壁22下面へ接するまで押上げておき、該状態から上記カッターを回動させることで、上記間隙とほぼ同一厚みを有するゲル状物の薄片42を得ることが出来る。又カッターの平板状部33はキャップ状部21内へ収納させた状態で筒胴体内へ嵌合させたゲル状物上面を閉塞することとなり、よってキャップを別に設けてキャップ状部材外面へ嵌合させる必要がない。
【００１６】
請求項２の場合のように、窓部24に露出する平板状部33外縁に把手突部26を付設することで、ゲル状物切断のための、又切断されたゲル状物薄片を平板状部上面へ載置させたまま外方へ引出すための、キャップ状部材21内への平板状部33の押込み、および引出しが容易である。
【００１７】
請求項３のように、上記カッター平板状部33の上下両面へのブラスト加工で、ゲル状物と平板状部33とが密着することを防止でき、よってゲル状物の切断および該切断により平板状部33上へ載置したゲル状物薄片の取外しが容易となる。
【図面の簡単な説明】
【図１】  本発明容器の分解斜視図である。
【図２】  本発明容器要部の断面図である。
【符号の説明】
１  …筒胴体                11  …底皿
21  …キャップ状部材        25  …軸受け筒
31  …カッター              33  …平板状部
41  …棒状のゲル状物
【図１】
0003815642.tif 000002
【図２】
0003815642.tif 000003